(57)【要約】着用者の乳房を持ち上げ、分離し、整形し、サポートする１本以上のサポート溝を有するスポーツブラジャーと、かようなスポーツブラジャーを作製する方法を提供する。上記のサポート溝は、圧縮性の素材層をプレス加工して形成することができ、着用者の両乳房間の中央領域から胸骨に沿って延在し、乳房の下で湾曲して脇の下に向かって上方に延在する。
2013540211.tif 000002
【特許請求の範囲】
【請求項１】
第１の圧縮性の素材層と、
前記圧縮性の素材層をプレス加工して形成した１本以上のサポート溝であって、前記スポーツブラジャーの着用時に着用者の乳房をそれぞれ少なくとも部分的に包囲するサポート溝と、
前記第１の素材層に結合した第２の素材層であって、該第２の素材層の一部を成型して１対の乳房カップ部を形成した第２の素材層と、
を備えたスポーツブラジャー。
【請求項２】
前記１本以上のサポート溝はほぼＵ字型であり、前記着用者の両乳房間の中央領域から延在し、前記両乳房の下で湾曲して前記着用者の脇の下に向かって上方に延在することを特徴とする、
請求項１に記載のスポーツブラジャー。
【請求項３】
前記第１の圧縮性の素材層は発泡素材からなる、請求項２に記載のスポーツブラジャー。
【請求項４】
前記第２の素材層は、体にフィットする運動競技用の素材からなる、請求項１に記載のスポーツブラジャー。
【請求項５】
前記着用者の肌に接触するよう構成した第３の素材層をさらに備えた、請求項４に記載のスポーツブラジャー。
【請求項６】
前記第１の素材層、前記第２の素材層および前記第３の素材層を互いに結合して 、前記スポーツブラジャーの着用時に、前記着用者の胴体の少なくとも一部および各乳房をサポートして被覆するように前記スポーツブラジャーの正面領域を構成したことを特徴とする、請求項５に記載のスポーツブラジャー。
【請求項７】
前記第１の素材層および前記第３の素材層は、それぞれ、スパンデックス、綿、およびナイロンからなる群より選択した少なくとも１つの要素を含むことを特徴とする、請求項６に記載のスポーツブラジャー。
【請求項８】
前記第３の素材層は運動時に皮膚に通気性を与えるよう構成したことを特徴とする、請求項５に記載のスポーツブラジャー。
【請求項９】
前記スポーツブラジャーの前記正面領域は縫い目がないことを特徴とする、請求項６に記載のスポーツブラジャー。
【請求項１０】
前記スポーツブラジャーの前記正面領域に結合した背面領域をさらに備え、該背面領域はレーサーバック形状であり、前記スポーツブラジャーの着用時に、前記着用者の背中の少なくとも一部を被覆することを特徴とする、請求項６に記載のスポーツブラジャー。
【請求項１１】
スポーツブラジャーの着用時に、着用者の胴体の少なくとも一部および各乳房を被覆する正面領域と、
前記スポーツブラジャーの前記正面領域に結合した背面領域であって、該背面領域はレーサーバック形状であり、着用時に前記着用者の背中の少なくとも一部を被覆することを特徴とする、背面領域と、を備えたスポーツブラジャーであって、
前記正面領域は、
圧縮性素材をプレス加工して形成した複数のサポート溝であって、着用時に前記着用者の各乳房を少なくとも部分的に包囲し、前記着用者の両乳房間の中央領域から延在して乳房の下で湾曲し、前記着用者の脇の下に向かって上方に延在することを特徴とする複数のサポート溝と、
１対の乳房カップ部であって、前記複数のサポート溝の少なくとも２本が、前記１対の乳房カップ部のそれぞれ底端縁に隣接することを特徴とする１対の乳房カップ部と、を備えたことを特徴とする、
スポーツブラジャー。
【請求項１２】
前記圧縮性の素材は、スパンデックス、発泡体、綿、およびナイロンからなる群から選択した少なくとも１つの要素を含む単層または多層構造の素材層を含んで構成したことを特徴とする、請求項１１に記載のスポーツブラジャー。
【請求項１３】
前記１対の乳房カップ部は、前記圧縮性の素材層を成型して形成したことを特徴とする、請求項１２に記載のスポーツブラジャー。
【請求項１４】
前記スポーツブラジャーの前記正面領域は縫い目がないことを特徴とする、請求項１２に記載のスポーツブラジャー。
【請求項１５】
１対のショルダーストラップをさらに備え、該１対のショルダーストラップを前記スポーツブラジャーの前記正面領域および前記背面領域に連結したことを特徴とする、請求項１１に記載のスポーツブラジャー。
【請求項１６】
着用者の乳房をそれぞれ部分的に包囲するサポート溝を有するスポーツブラジャーを作製するための素材を用意するステップと、
単層または多層構造の圧縮性の素材層をプレス加工して前記サポート溝を形成するステップであって、該サポート溝は、前記スポーツブラジャーの着用時に、前記着用者の胴体の第１の側から延在し、前記着用者の各乳房の下で湾曲し、両乳房の中間領域で連結されて前記着用者の胴体の第２の側へ延在することを特徴とする、サポート溝を形成するステップと、
前記単層または多層構造の圧縮性の素材層を成型して１対の乳房カップ部を形成するステップであって、前記サポート溝が該１対の乳房カップ部それぞれの底端縁に隣接するように１対の乳房カップ部を成型するステップと、
前記スポーツブラの着用時に、前記着用者の胴体の少なくとも一部および各乳房を被覆する正面領域を裁断形成するステップであって、該正面領域は前記サポート溝および前記１対の乳房カップ部を含むことを特徴とする、正面領域を裁断形成するステップと、
単層または多層構造の身体にフィットする素材層から背面領域を裁断形成するステップであって、該背面領域はレーサーバック形状であり、前記スポーツブラジャーの着用時に前記着用者の背中の少なくとも一部を被覆することを特徴とする、背面領域を裁断形成するステップと、
前記スポーツブラジャーの前記正面領域と前記背面領域とを結合するステップと、を含む、スポーツブラジャーを作製する方法。
【請求項１７】
前記スポーツブラジャーの前記正面領域と前記背面領域とを連結する１対のショルダーストラップを用いるステップをさらに含む、請求項１６に記載のスポーツブラジャーを作製する方法。
【請求項１８】
前記単層または多層構造の圧縮性の素材層を発泡素材により構成したことを特徴とする、請求項１７に記載のスポーツブラジャーを作製する方法。
【請求項１９】
前記単層または多層構造の圧縮性素材を、スパンデックス、発泡体、綿、およびナイロンからなる群から選択した少なくとも１つの要素を含む素材で構成したことを特徴とする、請求項１８に記載のスポーツブラジャーを作製する方法。
【請求項２０】
接着材を用いて前記単層または多層構造の圧縮性素材に裏打ち素材層を積層するステップをさらに含む、請求項１６に記載のスポーツブラジャーを作製する方法。
【発明の詳細な説明】
【発明の概要】
【０００１】
本発明は、本明細書に記載の［発明の概要］においてではなく、［特許請求の範囲］により定義される。本発明の様々な態様の概要をここに提供するのはそのためであり、それによって、本開示の内容を概説し、［発明を実施するための形態］の項において詳述する、本発明の精選された構想を提起しようとするものである。この［発明の概要］は、特許請求した主題の主要な特徴または必須の特徴を同定することを意図するものではなく、この［発明の概要］を、特許請求した主題の範囲の決定支援として使用することを意図するものでもない。
【技術分野】
【０００２】
従来のスポーツブラジャーは、一般に、女性アスリートの乳房を緊迫および／または収容して、運動競技中における乳房の過度な揺動を防いでいる。スポーツブラジャーには、Ｕ字型のアンダーワイヤを用いることにより乳房のサポートおよび分離（breast separation）を行うものがある。アンダーワイヤとしては、一般に、長尺の硬い金属またはプラスチック材を用い、それらをブラジャーの各カップ部の底部に縫着してワイヤが着用者の胸郭に隣接するようにしたものである。かような従来のアンダーワイヤは、高強度の運動競技中に、着用者の身体に食い込んで不快感を引き起こすことがある。場合によっては、アンダーワイヤの先端が生地を突き破り擦過傷やその他の不快感の原因となることもある。アンダーワイヤを用いたスポーツブラジャーの作製には、多くの場合、種々の素材および各素材層を継ぎ合わせることにより行う、手間のかかる裁断縫製加工技術が用いられる。さらに、例えば、短距離走等の多くの運動競技では、アスリートが身につける装備品や衣類の重量を最小限に抑えることが有益であるが、アンダーワイヤを有するスポーツブラジャーを使用すると衣類の重量増加につながる。アンダーワイヤが太いと、競技者が柔軟性を要する場面で、競技者の関節可動域が制限されてしまう場合がある。このように、アンダーワイヤの使用に伴って従来生じていた不快感を与えることなく、運動競技中に乳房のサポートと揺動の抑制が可能なスポーツブラジャーが求められている。
【０００３】
本発明は、サポート溝を有するスポーツブラジャーを提供する。本発明によるスポーツブラジャーは、圧縮性素材をプレス加工して形成した１本以上のサポート溝を有し、かかるサポート溝は、着用者の各乳房を部分的に包囲する。特に、サポート溝は、胸部の中央領域から着用者の胸骨に沿って延在し、乳房の下で湾曲して、脇の下に向かって上方に延在する。
【０００４】
以下、本発明の実施例を、参照により本明細書に援用した添付の図面に基づいて詳細に説明する。
【図面の簡単な説明】
【０００５】
【図１】本発明の特徴を具体化したスポーツブラジャーの着用時の斜視図である。
【図２】本発明の特徴を具体化したスポーツブラジャーの正面図である。
【図３Ａ】本発明の特徴を具体化したスポーツブラジャーのサポート溝部を示す断面図である。
【図３Ｂ】本発明の特徴を具体化したスポーツブラジャーの別のサポート溝部を示す断面図である。
【図４】本発明の特徴を具体化したスポーツブラジャーの別の正面図である。
【図５】本発明の実施形態によるスポーツブラジャーを作製する包括的な方法を示すブロック図であり。
【図６Ａ】本発明の特徴を具体化したスポーツブラジャーを示す別の正面図である。
【図６Ｂ】本発明の特徴を具体化したスポーツブラジャーの着用時の斜視図である。
【発明を実施するための形態】
【０００６】
法定記載要件を満たすため、本明細書においては本発明の主題を具体的に記載している。しかしながら、本発明の請求の範囲は、本明細書の記載そのものに必ずしも限定されない。むしろ、請求項に記載した対象事項は、その他の現行技術または次世代技術を併用して、本明細書に記載したものと同様の種々のステップまたは各ステップの組み合わせを含む別の方法によって実施してもよい。本明細書において使用した「ステップ」および／または「ブロック」、または「モジュール」等の用語は、用いた方法またはシステムの様々な要素を包含するが、個々のステップの順序が明示的に記載されていない限り、かような用語を、本明細書に開示した様々なステップ間に任意の特定の順序があることを意味するものとして解釈すべきではない。
【０００７】
本発明は、１本以上のサポート溝を有するスポーツブラジャーに関する。本発明は、さらに、１本以上のサポート溝を有するスポーツブラジャーを作製する方法に関する。本発明に係るスポーツブラジャーは、複数の素材層を有する。上記のサポート溝は、圧縮性の素材層をプレス加工して形成することができる。
【０００８】
したがって、本発明の一態様によるスポーツブラジャーによれば、第１の圧縮性の素材層を用いることができ、その圧縮性の素材層をプレス加工して１本以上のサポート溝を形成することができる。各サポート溝は、スポーツブラジャーの着用時に、着用者の各乳房を部分的に包囲することができる。スポーツブラジャーは、第１の素材層に接合した第２の素材層をさらに含み、第２の素材層の一部を成型して１対の乳房カップ部を形成することができる。
【０００９】
本発明の別の態様によれば、着用時に、着用者の胴体の少なくとも一部および乳房を被覆する正面領域を有するスポーツブラジャーを提供する。スポーツブラジャーの正面領域は、圧縮性素材をプレス加工して形成した１本以上のサポート溝を有し、かかるサポート溝は、着用位置で着用者の各乳房を少なくとも部分的に包囲することができる。サポート溝は、着用者の両乳房間の中央 領域から延在し、乳房の下で湾曲して、着用者の脇の下に向かって上方に延在する。別の態様によれば、スポーツブラジャーを着用時に、サポート溝は着用者の胴体の一方の側から他方の側へ延在し、着用者の各乳房の下で湾曲して、両乳房間の中間 領域にて連結することができる。スポーツブラジャーの正面領域は、１対の乳房カップ部をさらに備えることができ、該１対の乳房カップ部の底端縁に隣接して１対以上のサポート溝を設けることができる。スポーツブラジャーは、該スポーツブラジャーの正面領域に結合した背面領域をさらに備えることができる。スポーツブラジャーの背面領域は、レーサーバック形状（racer back configuration）としてもよく、スポーツブラジャーの着用時に着用者の背中の少なくとも一部を被覆するものであればよい。
【００１０】
別の態様によれば、本発明の一実施形態によるスポーツブラジャーの包括的な作製方法を提供する。着用者の各乳房の少なくとも一部に包囲する１本以上のサポート溝を有するスポーツブラジャーを構成するための素材を提供する。該素材の例として、圧縮性の発泡素材を挙げることができる。サポート溝は、単層または多層構造の圧縮性素材をプレス加工して形成することができ、スポーツブラジャーの着用時に、サポート溝は着用者の胴体の一方の側から他方の側に延在し、着用者の乳房の各々の下で湾曲するように形成する。単層または多層構造の圧縮性素材を成型して１対の乳房カップ部を形成することができる。乳房カップ部は、サポート溝が各乳房カップ部の底端縁に隣接するように成型しうる。スポーツブラジャーの正面領域は裁断形成することができる。スポーツブラジャーの正面領域は、スポーツブラジャーの着用時に、着用者の少なくとも胴体の一部および各乳房を被覆することができ、この正面領域には、サポート溝および１対の乳房カップ部を形成することができる。スポーツブラジャーの背面領域は裁断形成することができ、スポーツブラジャーの正面領域を結合することができる。
【００１１】
本発明によれば、圧縮性素材をプレス加工して形成したサポート溝を有するスポーツブラジャー、および、かようなスポーツブラジャーを作製する方法を提供することができる。本発明の実施形態の概要を先に簡単に説明したが、圧縮性素材をプレス加工して形成したサポート溝を有するスポーツブラジャーの例を以下に説明する。
【００１２】
各図面、特に、図１〜４は、圧縮性素材をプレス加工して形成した１本以上のサポート溝を有するスポーツブラジャーの例を様々な視点から図示したものである。本明細書において、各実施形態をスポーツブラジャーに関して記載したが、本発明の実施形態は、運動競技中に乳房組織をサポートするために用いるものであれば、ある特定の種類またはタイプのサポート衣類に限定されるものではないことが理解されよう。他の実施形態の例としては、サポート部材を組み込んだキャミソール、水着、または他の衣類などを挙げることができる。さらに、図面の記載は単なる例示にすぎず、本発明の請求の範囲を任意の種類の運動競技に限定するものでは決してない。
【００１３】
ここで、図１は、本発明の特徴を具体化したスポーツブラジャーの着用時の一例を示す斜視図であり、全体に参照符号１００を付して示す。スポーツブラジャー１００は、正面領域１１０、乳房カップ部１２０、リブバンド１３０、サポート溝１４０、およびショルダーストラップ１５０を含む。スポーツブラジャー１００ の正面領域１１０はスポーツブラジャーの一部であり、着用者の胴体の一部を被覆する。各実施形態において、正面領域１１０を縫い目のない（シームレスな）構成とすることができる。正面領域１１０には、スポーツブラジャーを構成する単層または多層構造の素材を成型して形成した１対の乳房カップ部１２０を設けることができる。乳房カップ部１２０は、着用者の各乳房を収容するためのものであり、深さを変化させて成型した多層構造の素材で構成することができる。一例として、乳房カップ部１２０は、着用者の肌と接触する柔軟な素材からなる内層、および／または、乳房を緊迫して乳房の揺動を抑制する、身体にフィットする素材からなる外層により構成することができる。図１に示すように、リブバンド１３０を正面領域１１０と一体的に構成して、着用者の肋骨の周囲に延在するようにしてもよい。
【００１４】
サポート溝１４０は、乳房カップ部１２０の下側に隣接して設けることができる。サポート溝は、ほぼＵ字型であり、乳房を持ち上げ、分離し（separate）、整形し、および／または、着用者の乳房をサポートするように構成することができる。サポート溝１４０は、スポーツブラジャー１００の中央領域、すなわち着用者の両乳房間の領域であって着用者の胸骨の一部を被覆する領域から延在することができる。サポート溝１４０は、乳房カップ部１２０の底部の下で湾曲して、着用者の脇の下に向かって上方に延在することができる。各実施形態において、スポーツブラジャー１００の圧縮性の素材層をプレス加工してサポート溝１４０を形成することができる。圧縮性の素材層をプレス加工してサポート溝１４０を形成したことで、該サポート溝１４０には、乳房組織をサポートしうる十分且つ適度な剛性が生じる。例えば、サポート溝１４０は、エチレンビニルアセテート（ＥＶＡ）発泡体、またはそれと同様の発泡素材等、圧縮性の発泡素材をプレス加工して形成してもよい。ショルダーストラップ１５０は、スポーツブラジャー１００の正面領域１１０と一体的に構成して正面領域１１０から上方へ延在させて肩をまたぐようにしてもよい。
【００１５】
ここで、図２は、本発明の特徴を例示した一例であるスポーツブラジャーを示す正面図であり、全体に参照符号２００を付して示す。スポーツブラジャー２００は、正面領域２１０、乳房カップ部２２０、リブバンド２３０、サポート溝２４０、ショルダーストラップ２５０、および背面領域２６０を含むことができる。正面領域２１０は、着用者の乳房および着用者の胴体の少なくとも一部を被覆するように構成することができる。スポーツブラジャー２００は、圧縮性素材で構成することができる。各サポート溝２４０は、乳房カップ部２２０の周縁に沿って、乳房を部分的に包囲するように構成することができる。サポート溝２４０は、スポーツブラジャーに好適に用いられる圧縮性素材をプレス加工して形成することができる。一例として、スポーツブラジャー２００は、着用者の胸骨に沿って延在するサポート溝を備えた圧縮性の発泡素材を含むことができる。サポート溝２４０は、乳房および乳房カップ部２２０の下で湾曲して、ショルダーストラップ２５０に向かって上方に延在させることができる。ショルダーストラップ２５０は、スポーツブラジャー２００の正面領域２１０と一体的に形成することができ、正面領域２１０から上方に延在し、肩をまたいで下方に延在してスポーツブラジャー２００の背面領域２６０にあるリブバンド２３０に連結させてもよい。背面領域２６０はレーサーバック形状とすることができ、その他の任意の背面形状とすることもできる。各ショルダーストラップ２５０は、背面領域２６０で交差させてリブバンド２３０ に連結してもよい。ショルダーストラップ２５０は、長さが一定で調整不可能なものとすることができる。プルオーバースタイルで設計したスポーツブラジャーの場合、長さが一定のストラップを用いてもよい。一方、ショルダーストラップ２５０の長さを調整可能として、着用者がブラジャーのフィット感を自分にとって快適なように、または特定の活動に合わせて個別に仕様変更（カスタマイズ）可能とすることもできる。
【００１６】
スポーツブラジャー２００は、その組み合わせにより弾力性、強度、および圧縮性を種々に変化させた多層構造の素材で構成することができる。ここで、図３Ａは、スポーツブラジャー２００のサポート溝部の断面図であり、全体に参照符号３００を付して示す。一例として、スポーツブラジャー２００は、内層３１０、中間層３２０、および外層３３０を含むことができるが、スポーツブラジャー２００の別の構成において、これらすべての層を備える必要はない。内層３１０は、スポーツブラジャー２００の裏打ち（ライナー）として用い、着用者の肌に接触することになる柔軟な素材とすることができる。内層３１０は、運動時に着用者の肌に通気性を与えるように構成し、着用者の肌から汗を蒸発させるのに適した素材を含むことができる。中間層３２０ は補強材を含むことができ、また、ブラジャーの特定の箇所において要求される特性に応じて非伸縮性の素材とすることができる。中間層３２０ は接着材を含むこともでき、スポーツブラジャーの内層と外層とを容易に積層できるようにする。外層３３０は、外層３３０をプレス加工して形成した１本以上のサポート溝３４０を有する圧縮性素材を含むことができる。外層３３０に用いる圧縮性素材は、サポート溝３４０のプレス加工が容易なように十分な可鍛性を有する必要がある一方、いったんプレス加工した後は十分な剛性を有してサポート溝に各乳房を十分にサポートしうる強度が得られるものでなければならない。一例として、サポート溝３４０を含む素材層は、圧縮性の発泡素材または三次元構造のメッシュ素材から構成することができる。スポーツブラジャー２００の作製に用いるその他の素材の例として、スパンデックス（長鎖状高分子合成物からなる合成繊維）、綿、およびナイロン等を挙げることができる。
【００１７】
図３Ａには、外層３３０をプレス加工して形成したサポート溝３４０を示しているが、サポート溝３４０はスポーツブラジャーの素材層を数層にわたってプレス加工して形成してもよい。一例として、図３Ｂは、本発明によるスポーツブラジャーの別のサポート溝部の断面図であり、全体に参照符号３５０を付して示す。図３Ｂにおいて、サポート溝３４０は、内層３１０、中間層３２０、および外層３３０をプレス加工して形成したものである。なお、図３Ａおよび図３Ｂには、３層構造の素材を図示したが、本発明によるスポーツブラジャーの作製に用いる素材の層数はそれより多くても少なくてもよいことが理解されよう。
【００１８】
ここで、図４は、本発明によるスポーツブラジャーの別の実施形態の正面図であり、全体に参照符号４００を付して示す。スポーツブラジャー４００は、正面領域４１０、乳房カップ部４２０、リブバンド４３０ 、サポート溝４４０、ショルダーストラップ４５０、および背面領域４６０を含む。正面領域４１０は、着用者の着用者の胴体の少なくとも一部および各乳房を被覆するように構成することができる。スポーツブラジャー４００は圧縮性素材で構成することができ、乳房カップ部４２０の周縁に沿って各乳房を部分的に包囲するように構成した１本の連続したサポート溝４４０を備えることができる。サポート溝４４０は、スポーツブラジャーに好適に用いられる圧縮性素材をプレス加工して形成することができ、かかるサポート溝は、スポーツブラジャーの着用時に、着用者の胴体の一方の側から他方の側へと延在する。図４に示すように、サポート溝４４０は、着用者の各乳房の下で湾曲して、両乳房間の中間領域４７０にて連結することができる。サポート溝４４０は、中間領域４７０から着用者の胸骨に沿って延在させてもよく、乳房および乳房カップ部４２０の下で湾曲させて、ショルダーストラップ４５０に向かって上方に延在させることができる。サポート溝４４０は、その他の構成により形成してもよい。図４に示すように、サポート溝４４０は、両乳房間の中間両域４７０にて連結することができる。中間領域４７０の位置は、スポーツブラジャー４００の着用時に、着用者の胸骨の上部にくるように配置してもよいし、別の実施例では、スポーツブラジャー４００の着用時に着用者の胸骨の下部にくるように配置してもよい。ショルダーストラップ４５０は、スポーツブラジャー４００の正面領域４１０と一体的に形成することができ、正面部４１０から上方に延在し肩をまたいで下方に延在してスポーツブラジャー４００の背面領域４６０にあるリブバンド４３０に連結する。スポーツブラジャー４００の実施例として、１本の連続したサポート溝４４０を有するものを挙げているが、本発明によるスポーツブラジャーにおいては、サポート溝として種々の構成のものを用いることができることを理解されたい。一例として、本発明によるスポーツブラジャーは、連続した１本のサポート溝および複数本のサポート溝を一体構成したものまで含むことができ、各サポート溝は左脇の下から下方に延在し、乳房カップ部の底部に沿って延在した後、右脇の下に向かって上方に延在する。サポート溝の構成のさらに別の実施例としては、１対のサポート溝を設け、１対のサポート溝はそれぞれほぼＵ字型であり、着用者の両乳房間の中央領域から延びて、乳房の下方で湾曲し、着用者の脇の下に向かって上方に延在するように構成してもよい。代案として、本発明によるスポーツブラジャーは、複数対のほぼＵ字型をしたサポート溝を備えてもよい。
【００１９】
ここで、図５は、本発明によるスポーツブラジャーの包括的な作製方法５００を示すブロック図である。まず、ブロック５１０に示すように、着用者の各乳房を部分的に包囲するサポート溝を有するスポーツブラジャーを構成するための素材を用意する。素材の例としては、ＥＶＡ発泡体、または同様の発泡素材等の圧縮性素材および、スパンデックス、綿、およびナイロン等の生地を挙げることができる。ブロック５２０に示すように、サポート溝は、単層構造または多層構造の圧縮性素材をプレス加工して形成することができる。サポート溝は、スポーツブラジャーの着用時に、着用者の胴体の一方の側から他方の側へと、着用者の乳房の下で湾曲して延在するようにプレス加工して形成してもよい。ブロック５３０に示すように、１対の乳房カップ部は、単層構造または多層構造の圧縮性素材を成型して形成することができる。乳房カップ部は、１対の乳房カップ部のそれぞれ底端縁にサポート溝が隣接するように成型することができる。ブロック５４０に示すように、スポーツブラジャーの正面領域は裁断形成することができる。スポーツブラジャーの正面領域は、スポーツブラジャーの着用時に、着用者の胴体の少なくとも一部および各乳房を被覆することができる。正面領域は、サポート溝および１対の乳房カップ部を備えることができる。ブロック５５０に示すように、スポーツブラジャーの背面領域を裁断形成することができる。スポーツブラジャーの背面領域は、身体にフィットする多層構造の素材をレーサーバック形状に裁断形成することができ、スポーツブラジャーの着用時に、着用者の背中の少なくとも一部を被覆するものとすることができる。ブロック５６０に示すように、スポーツブラジャーの正面領域と背面領域とを結合することができる。
【００２０】
ここで、図６Ａは、本発明によるスポーツブラジャーの別の実施例の正面図であり、全体に参照符号６００を付して示す。また、図６Ｂは、本発明の特徴を具体化したスポーツブラジャーの着用時の斜視図であり、全体に参照符号６００を付して示す。スポーツブラジャー６００は、正面領域６１０、乳房カップ部６２０、リブバンド６３０、サポート溝６４０、ショルダーストラップ６５０、および背面領域６６０を含む。正面領域６１０は、着用者の胴体の少なくとも一部および各乳房を被覆するように構成することができる。乳房カップ部６２０は、着用者の各乳房を収容するためのものであり、深さを変化させて成型した多層構造の素材で構成することができる。スポーツブラジャー６００は、圧縮性素材で構成することができ、乳房カップ部６２０の周縁の一部に沿って乳房を部分的に包囲するように構成した連続する１本のサポート溝６４０を含むことができる。一例として、サポート溝６４０は、スポーツブラジャーを着用した状態で、着用者の胴体の一方の側から両乳房間の途中まで上方に延在した後、胴体の他方の側へと延在する連続した溝として構成することができる。サポート溝６４０は、両乳房間の中間領域６７０にて連結してもよい。図６Ｂに示すように、中間領域６７０は、スポーツブラジャー６００の着用時に、着用者の胸骨の位置にくるように配置してもよい。
【００２１】
以上、本発明の各実施形態を説明したが、各実施形態は本発明の例示に過ぎず、発明を限定するものではない。本発明の範囲から逸脱しない限り、その他の実施形態が可能であることは、当業者にとって明らかであろう。当業者は、本発明の範囲から逸脱することなく、上記の各改良点を実施する代替的手段を構築することができる。
【００２２】
特定の特徴および部分的組み合わせを有用に利用することができ、利用の際に他の特徴および他の部分的な組み合わせを参照する必要はなく、特許請求の範囲を逸脱するものではないことが理解されよう。各図面に挙げたすべてのステップを必ずしも記載した特定の順序で実行する必要はない。
【００２３】
本発明の各実施形態によれば、圧縮性素材をプレス加工して形成したサポート溝を有するスポーツブラジャーおよび各スポーツブラジャーを作製する方法を提供することができる。本発明によるスポーツブラジャーの素材は積層構造とすることができる。サポート溝は、圧縮性素材の層をプレス加工して形成することができ、着用者の胸骨に沿って中央領域から延在し、各乳房の下で湾曲して脇の下に向かって上方に延在する。
【図１】
2013540211.tif 000003
【図２】
2013540211.tif 000004
【図３Ａ】
2013540211.tif 000005
【図３Ｂ】
2013540211.tif 000006
【図４】
2013540211.tif 000007
【図５】
2013540211.tif 000008
【図６Ａ】
2013540211.tif 000009
【図６Ｂ】
2013540211.tif 000010
【国際調査報告】
2013540211.tif 000011